(57)【要約】【課題】  部品点数を増加させることなく、傷ついたりごみや埃が付着したりすることにより撮像装置の機能に悪影響が及ぼされる部分を保護可能な撮像装置を提供する。【解決手段】  移動ディスプレイ部材２０がカバー位置Ｐ１に配置されているとき、カメラレンズ１４は移動ディスプレイ部材２０の第１面部２２によってカバーされ、また、移動ディスプレイ部材２０のＬＣＤ２６はカメラ本体１２の側面上半分部１２Ｂによって覆われ、外部からＬＣＤ２６は視認不能とされる。【選択図】  図１
2005210167.tif 000002
【特許請求の範囲】
【請求項１】
撮像装置本体と、
前記撮像装置本体に設けられたカメラレンズと、
前記撮像装置本体に設けられ、画像を表示する表示面を有し、前記カメラレンズの外部への露出部をカバーするカバー位置と前記露出部を開放する開放位置との間を移動可能な、移動ディスプレイ部材と、
を備えた撮像装置。
【請求項２】
撮像装置本体と、
前記撮像装置本体に設けられたファインダと、
前記撮像装置本体に設けられ、画像を表示する表示面を有し、前記ファインダの外部への露出部をカバーするカバー位置と前記露出部を開放する開放位置との間を移動可能な、移動ディスプレイ部材と、
を備えた撮像装置。
【請求項３】
撮像装置本体と、
前記撮像装置本体に設けられたカメラレンズと、
前記撮像装置本体に設けられたファインダと、
前記撮像装置本体に設けられ、画像を表示する表示面を有し、前記カメラレンズ及びファインダの外部への露出部をカバーするカバー位置と前記露出部を開放する開放位置との間を移動可能な、移動ディスプレイ部材と、
を備えた撮像装置。
【請求項４】
前記表示面は、前記移動ディスプレイ部材が前記カバー位置に配置された際には撮像装置本体によりカバーされて視認不能とされる位置に配置され、前記移動ディスプレイ部材が視認可能とされる位置に配置された際には前記開放位置に配置されることを特徴とする請求項１乃至請求項３のいずれか１項に記載の撮像装置。
【発明の詳細な説明】
【技術分野】
【０００１】
本発明は撮像装置に係り、特に画像を表示するディスプレイを備えた撮像装置に関する。
【背景技術】
【０００２】
撮像装置には、カメラレンズが設けられており、また、ファインダの設けられているものもあるが、カメラレンズやファインダが傷ついたりごみや埃が付着したりすると、撮像された画像の質が低下したり、撮像対象が見にくくなったりして撮像装置の機能に悪影響が及ぼされる。そこで、少なくともカメラレンズには外部への露出部分をカバーする専用のカバーを設けるのが一般的である。例えば、特許文献１には、カメラレンズをカバー可能な蓋を備えたＶＴＲ一体型カメラが開示されており、特許文献２には、ファインダカバーを備えたカメラが開示されている。しかしながら、前記特許文献１、２に記載の技術では、カメラレンズやファインダ用のカバーは、専用の別部材として設けられるので、部品点数が増加してしまうという問題があった。
【特許文献１】実願昭５５−６７４１２号
【特許文献２】特許第２５３３５７９号
【発明の開示】
【発明が解決しようとする課題】
【０００３】
本発明は上記事実を考慮し、部品点数を増加させることなく、傷ついたりごみや埃が付着したりすることにより撮像装置の機能に悪影響が及ぼされる部分を保護可能な撮像装置を提供することを目的とする。
【課題を解決するための手段】
【０００４】
上記課題を解決するため、請求項１に記載の撮像装置は、撮像装置本体と、前記撮像装置本体に設けられたカメラレンズと、前記撮像装置本体に設けられ、画像を表示する表示面を有し、前記カメラレンズの外部への露出部をカバーするカバー位置と前記露出部を開放する開放位置との間を移動可能な、移動ディスプレイ部材と、を含んで構成されている。
【０００５】
本発明の撮像装置は、撮像装置本体にカメラレンズ、及び、移動ディスプレイ部材が備えられている。移動ディスプレイ部材は、画像を表示する表示面を有し、カメラレンズの外部への露出部をカバーするカバー位置と、この露出部を開放する開放位置との間を移動可能とされている。したがって、移動ディスプレイ部材は、画像の表示機能を有し、カバー位置に配置されているときにはカメラレンズの露出部を覆って、カメラレンズが傷つけられたり、カメラレンズにごみや埃が付着したりするのを防止している。
【０００６】
この構成によれば、画像表示機能を有する移動ディスプレイ部材によってカメラレンズの露出部がカバーされるため、カメラレンズをカバーするための専用の部材が不要であり、部品点数を増加させることなくカメラレンズが傷ついたり、カメラレンズにごみや埃が付着したりすることを防止することができる。
【０００７】
請求項２に記載の撮像装置は、撮像装置本体と、前記撮像装置本体に設けられたファインダと、前記撮像装置本体に設けられ、画像を表示する表示面を有し、前記ファインダの外部への露出部をカバーするカバー位置と前記露出部を開放する開放位置との間を移動可能な、移動ディスプレイ部材と、を含んで構成されている。
【０００８】
本発明の撮像装置は、撮像装置本体にファインダ、及び、移動ディスプレイ部材が備えられている。移動ディスプレイ部材は、画像を表示する表示面を有し、ファインダの外部への露出部をカバーするカバー位置と、この露出部を開放する開放位置との間を移動可能とされている。したがって、移動ディスプレイ部材は、画像の表示機能を有し、カバー位置に配置されているときにはファインダの露出部を覆って、ファインダが傷つけられたり、ファインダにごみや埃が付着したりするのを防止している。
【０００９】
この構成によれば、画像表示機能を有する移動ディスプレイ部材によってファインダがカバーされるため、ファインダをカバーするための専用の部材が不要であり、部品点数を増加させることなくファインダが傷ついたり、ファインダにごみや埃が付着したりすることを防止することができる。
【００１０】
請求項３に記載の撮像装置は、撮像装置本体と、前記撮像装置本体に設けられたカメラレンズと、前記撮像装置本体に設けられたファインダと、前記撮像装置本体に設けられ、画像を表示する表示面を有し、前記カメラレンズ及びファインダの外部への露出部をカバーするカバー位置と前記露出部を開放する開放位置との間を移動可能な、移動ディスプレイ部材と、を含んで構成されている。
【００１１】
本発明の撮像装置は、撮像装置本体にカメラレンズ、ファインダ、及び、移動ディスプレイ部材が備えられている。移動ディスプレイ部材は、画像を表示する表示面を有し、カメラレンズ及びファインダの外部への露出部をカバーするカバー位置と、この露出部を開放する開放位置との間を移動可能とされている。したがって、移動ディスプレイ部材は、画像の表示機能を有し、カバー位置に配置されているときにはカメラレンズ及びファインダの露出部を覆って、カメラレンズ及びファインダが傷つけられたり、カメラレンズ及びファインダにごみや埃が付着したりするのを防止している。
【００１２】
この構成によれば、画像表示機能を有する移動ディスプレイ部材によってカメラレンズ及びファインダの露出部がカバーされるため、カメラレンズ及びファインダをカバーするための専用の部材が不要であり、部品点数を増加させることなくカメラレンズ及びファインダが傷ついたり、カメラレンズ及びファインダにごみや埃が付着したりすることを防止することができる。
【００１３】
なお、前記請求項１乃至請求項３に記載の撮像装置の表示面は、請求項４に記載のように、前記移動ディスプレイ部材が前記カバー位置に配置された際には撮像装置本体によりカバーされて視認不能とされる位置に配置され、前記移動ディスプレイ部材が視認可能とされる位置に配置された際には前記開放位置に配置されることを特徴とすることができる。
【００１４】
上記構成によれば、カメラレンズ、ファインダが開放されているときに表示面が視認可能とされるので、ユーザーは撮像装置の使用時に表示面を見ることができる。
【００１５】
なお、カメラレンズ、ファインダが移動ディスプレイ部材によってカバーされているときに表示面は撮像装置本体にカバーされるので、撮像装置の不使用時には表示面に傷がついたり、ごみや埃が付着するのを防止することができる。
【発明の効果】
【００１６】
本発明の撮像装置は上記構成としたので、部品点数を増加させることなく、傷ついたりごみや埃が付着したりすることにより撮像装置の機能に悪影響が及ぼされる部分を保護することができる。
【発明を実施するための最良の形態】
【００１７】
［第１実施形態］
以下、図面を参照して、第１実施形態について詳細に説明する。
【００１８】
図１〜５に示すように、本発明の撮像装置としてのビデオカメラ１０は、カメラ本体１２を備える。カメラ本体１２の前面には、図１〜図４に示すように、撮像用のカメラレンズ１４が設けられ、背面には図５に示すように、ファインダ１６及び各種指示の入力ボタン１８が設けられている。
【００１９】
カメラ本体１２の前面上半分部１２Ａ、及び前面から見て右の側面上半分部１２Ｂは、外面が他の部分よりも内側に位置するように段差がつけられており、前面上半分部１２Ａ及び側面上半分部１２Ｂに沿って、移動ディスプレイ部材２０が収納可能とされている。移動ディスプレイ部材２０は、板状でＬ字に屈曲されており、Ｌ字の一つの面部をなす第１面部２２とＬ字の他の面部をなす第２面部２４とで構成されている。第２面部２４のＬ字の内側面には、液晶ディスプレイ（以下「ＬＣＤ」という）２６が設けられている。移動ディスプレイ部材２０の第１面部２２がカメラ本体１２の前面上半分部１２Ａに沿って配置され、第２面部２４がカメラ本体１２の側面上半分部１２Ｂに沿って配置されることにより、移動ディスプレイ部材２０はカメラ本体１２へ収納される（このときの移動ディスプレイ部材２０の位置を以下「カバー位置Ｐ１」という）。移動ディスプレイ部材２０がカバー位置Ｐ１に配置されているとき、カメラレンズ１４は移動ディスプレイ部材２０の第１面部２２によってカバーされ、また、移動ディスプレイ部材２０のＬＣＤ２６はカメラ本体１２の側面上半分部１２Ｂによって覆われ、外部からＬＣＤ２６は視認不能とされる。移動ディスプレイ部材２０がカメラ本体１２に収納されると、カメラ本体１２の本体の外面と移動ディスプレイ部材２０の外面とによって、ほぼ同一平面が構成され、ビデオカメラ１０の形状が略直方体状となる。
【００２０】
移動ディスプレイ部材２０は、側面上半分部１２Ｂの後方で、取付部材２８を介してカメラ本体１２に取り付けられている。移動ディスプレイ部材２０は、図５に示すように、取付部材２８を中心に、Ｘ方向及びＹ方向に回転可能とされている。図３〜５に示すように、Ｙ方向にはカメラレンズ１４の前方を開放して第２面部２４がカメラ本体１２の背面部分とほぼ同一面を構成する位置まで移動可能とされ、Ｘ方向には、３６０度回転可能とされている。第２面部２４を、Ｙ方向に回転させてカメラ本体１２の背面部分とほぼ同一面を構成する位置に配置し、さらにＸ方向に１８０度回転させると、図３〜図５に示すように、移動ディスプレイ部材２０は開放位置Ｐ２に配置される。
【００２１】
上記ビデオカメラ１０を使用する際には、移動ディスプレイ部材２０を開放位置Ｐ２に配置して、被写体にカメラレンズ１４を向け、入力ボタン１８を操作して撮影を行う。
【００２２】
上記ビデオカメラ１０を未使用の際には、移動ディスプレイ部材２０を、カバー位置Ｐ１へ移動させる。これにより、カメラレンズ１４は第１面部２２によってカバーされる。したがって、カメラレンズ１４は外部へ露出されず、カメラレンズ１４が傷ついたり、カメラレンズ１４にごみや埃が付着したりするのを防止することができる。
【００２３】
なお、移動ディスプレイ部材２０がカバー位置Ｐ１へ配置されている時に、ＬＣＤ２６はカメラ本体１２の側面上半分部１２Ｂによって覆われる。したがって、ＬＣＤ２６も外部へ露出されず、ＬＣＤ２６が傷ついたり、ＬＣＤ２６にごみや埃が付着したりするのを防止することができる。
【００２４】
本実施形態では、画像表示機能を有する移動ディスプレイ部材２０でカメラレンズ１４を保護するので、カメラレンズ１４を保護するための専用の部材を設ける必要がなく、部品点数の増加を抑制することができる。
【００２５】
なお、本実施形態では、移動ディスプレイ部材２０がカバー位置Ｐ１に配置されている時に、ＬＣＤ２６もカメラ本体１２の側面上半分部１２Ｂによってカバーされている構成について説明したが、ＬＣＤ２６は必ずしもカバーされている必要はなく、外側に露出されていてもよい。特に、本実施形態のようにカバーされていれば、ビデオカメラ１０の不使用時にＬＣＤ２６が傷ついたり、ＬＣＤ２６にごみや埃が付着したりするのを防止することができる。
【００２６】
また、本実施形態では、移動ディスプレイ部材２０が、取付部材２８を中心に回転移動する例について説明したが、図６に示すように、移動ディスプレイ部材２０をカバー位置Ｐ１から下側にスライドさせて、カメラレンズ１４を開放する構成とすることもできる。
【００２７】
［第２実施形態］
次に、第２実施形態について説明する。本実施形態では、第１実施形態と同様の部分については同一の符号を付して、その詳細な説明は省略する。
【００２８】
図７〜図１１に示すように、ビデオカメラ３０は、カメラ本体１２を備える。カメラ本体１２に設けられたカメラレンズ１４、ファインダ１６及び各種指示の入力ボタン１８については、第１実施形態と同様である。
【００２９】
カメラ本体１２の背面上半分部３２Ａ、及び前面から見て右の側面上半分部３２Ｂは、外面が他の部分よりも内側に位置するように段差がつけられており、背面上半分部３２Ａ及び側面上半分部３２Ｂに沿って、移動ディスプレイ部材４０が収納可能とされている。移動ディスプレイ部材４０は、板状でＬ字に屈曲されており、Ｌ字の一つの面部をなす第１面部４２とＬ字の他の面部をなす第２面部４４とで構成されている。第２面部４４のＬ字の内側面には、ＬＣＤ２６が設けられている。移動ディスプレイ部材４０の、第１面部４２がカメラ本体１２の背面上半分部３２Ａに沿って配置され、第２面部２４がカメラ本体１２の側面上半分部３２Ｂに沿って配置されることにより、移動ディスプレイ部材４０はカメラ本体１２へ収納される（このときの移動ディスプレイ部材４０の位置を以下「カバー位置Ｐ４」という）。移動ディスプレイ部材４０がカバー位置Ｐ４に配置されているとき、ファインダ１６は移動ディスプレイ部材４０の第１面部４２によってカバーされ、また、移動ディスプレイ部材４０のＬＣＤ２６はカメラ本体１２の側面上半分部３２Ｂによってカバーされ、外部からＬＣＤ２６は視認不能とされる。
【００３０】
移動ディスプレイ部材４０は、側面上半分部３２Ｂの前方で、取付部材２８を介してカメラ本体１２に取り付けられている。移動ディスプレイ部材４０は、図９に示すように、取付部材２８を中心に、Ｘ方向及びＹ方向に回転可能とされており、図９〜１１に示すように、ファインダ１６を開放して第２面部４４がカメラ本体１２の前面部分とほぼ同一面を構成する位置（この位置を以下「開放位置Ｐ５」という）まで移動可能とされている。
【００３１】
上記ビデオカメラ３０を使用する際には、移動ディスプレイ部材４０を開放位置Ｐ５に配置して、被写体にカメラレンズ１４を向け、入力ボタン１８を操作して撮影を行う。
【００３２】
上記ビデオカメラ３０を未使用の際には、移動ディスプレイ部材４０を、カバー位置Ｐ４へ移動させる。これにより、ファインダ１６は第１面部４２によってカバーされる。したがって、ファインダ１６は外部へ露出されず、ファインダ１６が傷ついたり、ファインダ１６にごみや埃が付着したりするのを防止することができる。また、移動ディスプレイ部材４０がカバー位置Ｐ４へ配置されている時に、ＬＣＤ２６はカメラ本体１２の側面上半分部１２Ｂによってカバーされる。したがって、ＬＣＤ２６も外部へ露出されず、ＬＣＤ２６が傷ついたり、ＬＣＤ２６にごみや埃が付着したりするのを防止することができる。
【００３３】
なお、本実施形態の移動ディスプレイ部材４０は、図１２に示すように、第１面部４２と第２面部４４とを、ヒンジ４８でＺ方向に回転可能に接続し、カバー位置Ｐ４と、カバー位置Ｐ４からほぼ１８０度回転されたファインダ開放位置Ｐ６へ移動可能な構成にすることもできる。この構成によれば、ＬＣＤ２６をカバーしたまま、ファインダ１６のみを開放して撮像を行うことができる。
【００３４】
また、上記第１、第２実施形態では、カメラレンズ１４またはファインダ１６のいずれか一方がカバーされる構成について説明したが、カメラレンズ１４及びファインダ１６の双方をカバーする構成とすることもできる。
【００３５】
また、上記第１、第２実施形態では、本発明をビデオカメラに適用した例について説明したが、本発明はビデオカメラに限定されるものではなく、スチルカメラや携帯電話に適用することもできる。
【図面の簡単な説明】
【００３６】
【図１】第１実施形態の、移動ディスプレイ部材が収納された状態のビデオカメラを前側からみた斜視図である。
【図２】第１実施形態の、移動ディスプレイ部材が収納された状態のビデオカメラを上側からみた図である。
【図３】第１実施形態の、移動ディスプレイ部材が開放位置へ配置された状態のビデオカメラを前側からみた斜視図である。
【図４】第１実施形態の、移動ディスプレイ部材が開放位置へ配置された状態のビデオカメラを上側からみた図である。
【図５】第１実施形態の、移動ディスプレイ部材が開放位置へ配置された状態のビデオカメラを後側からみた斜視図である。
【図６】第１実施形態の、移動ディスプレイ部材の変形例を示す斜視図である。
【図７】第２実施形態の、移動ディスプレイ部材が収納された状態のビデオカメラを後側からみた斜視図である。
【図８】第２実施形態の、移動ディスプレイ部材が収納された状態のビデオカメラを上側からみた図である。
【図９】第２実施形態の、移動ディスプレイ部材が開放位置へ配置された状態のビデオカメラを前側からみた斜視図である。
【図１０】第２実施形態の、移動ディスプレイ部材が開放位置へ配置された状態のビデオカメラを上側からみた図である。
【図１１】第２実施形態の、移動ディスプレイ部材が開放位置へ配置された状態のビデオカメラを後側からみた斜視図である。
【図１２】第２実施形態の、移動ディスプレイ部材の変形例を示す斜視図である。
【符号の説明】
【００３７】
１０  ビデオカメラ（撮像装置）
１２  カメラ本体（撮像装置本体）
１４  カメラレンズ
１６  ファインダ
２０  移動ディスプレイ部材
３０  ビデオカメラ
４０  移動ディスプレイ部材
Ｐ１  カバー位置
Ｐ２  開放位置
Ｐ４  カバー位置
Ｐ５  開放位置
【図１】
2005210167.tif 000003
【図２】
2005210167.tif 000004
【図３】
2005210167.tif 000005
【図４】
2005210167.tif 000006
【図５】
2005210167.tif 000007
【図６】
2005210167.tif 000008
【図７】
2005210167.tif 000009
【図８】
2005210167.tif 000010
【図９】
2005210167.tif 000011
【図１０】
2005210167.tif 000012
【図１１】
2005210167.tif 000013
【図１２】
2005210167.tif 000014